(57)【要約】【課題】  装置の自立使用に備えて、装置と共に三脚のような備品を持ち歩かずにすむ装置を提供する。【解決手段】  装置本体と、前記装置本体と可動自在に連結され、一側面が載置されることで前記装置本体を宙に支持する可動部とを備えて、装置を構成した。【選択図】  図４
2011107568.tif 000002
【特許請求の範囲】
【請求項１】
装置本体と、
前記装置本体と可動自在に連結され、一側面が載置されることで前記装置本体を宙に支持する可動部と
を備えて構成される装置。
【請求項２】
請求項１に記載の装置において、
前記可動部と所定角度を成して前記可動部と共に前記装置本体を支える脚部を備えることを特徴とする装置。
【請求項３】
請求項２に記載の装置において、
前記可動部は伸縮自在な足を備え、
前記脚部は伸縮自在であることを特徴とする装置。
【請求項４】
請求項１から請求項３のいずれか１項に記載の装置において、
装置の重心位置を算出する重心位置算出手段と、
前記装置本体を前記重心位置算出手段で算出された重心位置で支持すると前記装置本体が倒れる場合に警告を報知する警告報知手段と
を備えることを特徴とする装置。
【請求項５】
請求項１から請求項４のいずれか１項に記載の装置において、
被写体像を撮像する撮像部を備えることを特徴とする装置。
【請求項６】
請求項２または請求項３に記載の装置において、
被写体像を撮像する撮像部と、
前記脚部の使用を検出する脚部使用検出手段と、
前記脚部使用検出手段によって前記脚部の使用が検出されると前記脚部の使用に適した撮像条件に切り換える撮像条件切換手段と
を備えることを特徴とする装置。
【請求項７】
請求項５または請求項６に記載の装置において、
前記可動部は、前記一側面と他側面との間で反転自在に構成され、前記他側面側に情報を表示する表示面を備えることを特徴とする装置。
【請求項８】
請求項１から請求項７のいずれか１項に記載の装置において、
投影光を投じる投影部を備えることを特徴とする装置。
【発明の詳細な説明】
【技術分野】
【０００１】
本発明は、装置本体と可動自在に連結される可動部を備えた装置に関する。
【背景技術】
【０００２】
一般的にカメラは、特許文献１の背景技術に開示されているように、自己撮影などの場合、三脚によって一定の高さ位置に保持された状態で用いられる。
【先行技術文献】
【特許文献】
【０００３】
【特許文献１】特開２００９−１３９６０６号公報
【発明の概要】
【発明が解決しようとする課題】
【０００４】
しかしながら、上記従来のカメラのような装置は、自立使用に備えて装置と共に三脚のような備品を持ち歩かねばならず、不便で煩わしかった。
【課題を解決するための手段】
【０００５】
本発明はこのような課題を解決するためになされたもので、
装置本体と、
装置本体と可動自在に連結され、一側面が載置されることで装置本体を宙に支持する可動部と
を備えて、装置を構成した。
【発明の効果】
【０００６】
本発明によれば、装置の自立使用に備えて装置と共に備品を持ち歩く煩わしさから解放される。
【図面の簡単な説明】
【０００７】
【図１】（ａ）は、本発明の一実施の形態によるデジタルカメラの可動液晶モニタが収納された状態の背面斜視図、（ｂ）は、可動液晶モニタと脚部とで支持されたデジタルカメラの背面斜視図である。
【図２】（ａ）は、図１（ｂ）に示すデジタルカメラの正面斜視図、（ｂ）は、図１（ｂ）に示すデジタルカメラの可動液晶モニタが反転した状態のデジタルカメラの背面斜視図である。
【図３】本発明の一実施の形態によるデジタルカメラに備えられたＣＰＵによる制御処理を示すフローチャートである。
【図４】本発明の一実施の形態によるデジタルカメラを可動液晶モニタだけで支持した状態の正面斜視図である。
【図５】本発明の一実施の形態によるデジタルカメラの変形例を示す背面斜視図である。
【発明を実施するための形態】
【０００８】
本発明による装置をデジタルカメラに適用した場合における、本発明を実施するための一形態について説明する。
【０００９】
図１および図２は、この一実施の形態によるデジタルカメラ１の背面および正面の外観を示す斜視図である。
【００１０】
デジタルカメラ１は、装置本体を構成するカメラ本体１ａの正面中央部に、被写体からの光を撮像素子に導く光学レンズユニット２が、他の光学レンズユニットと交換可能に設けられている。撮像素子は、ＣＣＤ（Charge Coupled Devices）やＣＭＯＳ（Complementary Metal Oxide Semiconductor）等からなり、撮像部を構成する。光学レンズユニット２の右側には、撮影時に撮影者によって握られるグリップ部３が設けられている。このグリップ部３の上面には、レリーズボタン４が設けられている。レリーズボタン４は、半押しされるとオートフォーカス（ＡＦ）機能を作動させ、全押しされると予め設定されたシャッター速度でシャッターを開かせ、被写体像を撮像素子に所定時間露光させて被写体像の撮像を行わせる。
【００１１】
また、カメラ本体１ａの背面の中央上方には、撮影する被写体が視認される光学ファインダ５が設けられている。この光学ファインダ５の下方には、撮影に関する種々の情報や撮影画像などが表示される可動液晶モニタ６が設けられている。可動部を構成する可動液晶モニタ６は、カメラ本体１ａの背面の下辺に設けられたヒンジ機構７によりカメラ本体１ａに可動自在に連結され、また、ヒンジ機構７と可動液晶モニタ６との間に設けられた回動機構８により、一側面と他側面との間で反転自在に構成されている。可動液晶モニタ６は、他側面にＴＦＴ（Thin Film Transistor）液晶などからなる表示面６ａを備えている。図１（ａ）では、可動液晶モニタ６は表示面６ａを外部に露出させた状態でカメラ本体１ａに収納されている。また、可動液晶モニタ６の裏側の一側面には脚部９が設けられている。この脚部９は、図１（ｂ）に示すように、一端が可動液晶モニタ６の背面に回動自在に連結されている。可動液晶モニタ６がヒンジ機構７を中心に回動させられて、可動液晶モニタ６の背面から脚部９が取り出されて可動液晶モニタ６と所定角度を成すことにより、脚部９は可動液晶モニタ６と共にカメラ本体１ａを支える。この際、可動液晶モニタ６の表示面６ａは、図２（ａ）に示すようにデジタルカメラ１の正面方向に向けられる。また、回動機構８により可動液晶モニタ６を図２（ｂ）に示すように反転させ、脚部９を正面、可動液晶モニタ６の表示面６ａをカメラ本体１ａの背面に向けて、カメラ本体１ａを支持させることもできる。
【００１２】
可動液晶モニタ６の脚部９が設けられた背面には、図示しない脚部開閉センサが設けられている。この脚部開閉センサは、脚部９の使用を検出する脚部使用検出手段を構成しており、脚部９が可動液晶モニタ６の背面から取り出されて開かれたこと、および、脚部９が可動液晶モニタ６の背面に収納されたことを検出する。脚部開閉センサによって検出された信号は、デジタルカメラ１の制御を行うＣＰＵ（Central Processing Unit）に出力され、脚部９の開閉状態がＣＰＵに検出される。
【００１３】
ＣＰＵは、デジタルカメラ１の重心位置を算出する重心位置算出手段を構成している。ＣＰＵは、脚部開閉センサによって脚部９の使用を検出すると、カメラ本体１ａに装着されているレンズユニット２の種類を検出し、検出したレンズ情報、例えば、レンズユニットの長さや重量などに基づいてカメラ本体１ａの重心位置を算出する。そして、ＣＰＵは、算出したカメラ本体１ａの重心位置で、可動液晶モニタ６と脚部９とによりカメラ本体１ａが支えられず、カメラ本体１ａが倒れるおそれがある場合、その旨を可動液晶モニタ６に表示する。ＣＰＵおよび可動液晶モニタ６は、カメラ本体１ａを重心位置算出手段で算出された重心位置で支持するとカメラ本体１ａが倒れる場合に、警告を報知する警告報知手段を構成している。また、ＣＰＵは、脚部開閉センサによって脚部９の使用を検出すると、カメラ本体１ａまたはレンズユニット２に設けられている手振れ防止機構を制御するデジタルカメラ１の撮影モードを、撮影時に撮影者がデジタルカメラ１を手持ちすることで生じる振れを補正する手振れモードから、三脚使用時に生じる振れを補正する三脚使用モードに切り換える。ＣＰＵは、脚部使用検出手段によって脚部９の使用が検出されると、脚部９の使用に適した撮像条件に切り換える撮像条件切換手段を構成している。
【００１４】
次に、図３に示すフローチャートを参照して、カメラ本体１ａに備えられたＣＰＵによる制御処理について説明する。
【００１５】
ＣＰＵは、Ｓ１において、電源スイッチが操作されてデジタルカメラ１の電源がＯＮにされたか否かを、判定する。電源スイッチが操作されていなくてデジタルカメラ１の電源がＯＦＦの状態で、Ｓ１の判定結果が“Ｎｏ”であった場合、ＣＰＵは、待機状態となる。一方、電源スイッチが操作されてデジタルカメラ１の電源がＯＮになり、Ｓ１の判定結果が“Ｙｅｓ”になると、ＣＰＵは、Ｓ２において、可動液晶モニタ６がカメラ本体１ａの背面から取り出されて開かれたか否かを、判定する。可動液晶モニタ６が開かれておらず、Ｓ２の判定結果が“Ｎｏ”であった場合、ＣＰＵは、Ｓ１０において、レリーズ動作を待機する。一方、可動液晶モニタ６が開かれて、Ｓ２の判定結果が“Ｙｅｓ”であった場合、ＣＰＵは、Ｓ３において、脚部９が可動液晶モニタ６の背面から取り出されたか否かを、判定する。脚部９が取り出されておらず、Ｓ３の判定結果が“Ｎｏ”であった場合、ＣＰＵは、Ｓ１０において、レリーズ動作を待機する。
【００１６】
また、脚部９が取り出されて、Ｓ３の判定結果が“Ｙｅｓ”であった場合、ＣＰＵは、Ｓ４において、カメラ本体１ａに装着されているレンズユニット２の長さや重量などのレンズ情報を取得してカメラ本体１ａの重心位置を算出し、算出した重心位置で可動液晶モニタ６と脚部９とがカメラ本体１ａを支持できるか否かを、判定する。算出した重心位置で可動液晶モニタ６と脚部９とによりカメラ本体１ａを支持することが困難であり、Ｓ４の判定が“Ｎｏ”であった場合、ＣＰＵは、Ｓ５において、可動液晶モニタ６に、現在カメラ本体１ａに装着されているレンズユニット２では可動液晶モニタ６と脚部９とでカメラ本体１ａを支えられない旨の警告表示を表示させる。その後、ＣＰＵは、Ｓ６において、カメラ本体１ａに装着されているレンズユニット２が交換されたか否かを、判定する。レンズユニット２が交換されて、Ｓ６の判定結果が“Ｙｅｓ”であった場合、ＣＰＵは、処理をＳ２に戻す。一方、レンズユニット２が交換されず、Ｓ６の判定結果が“Ｎｏ”であった場合、ＣＰＵは、Ｓ１０において、レリーズ動作を待機する。
【００１７】
また、算出された重心位置で可動液晶モニタ６と脚部９とによりカメラ本体１ａを支持することが可能で、Ｓ４の判定結果が“Ｙｅｓ”であった場合、ＣＰＵは、Ｓ７において、デジタルカメラ１の撮影モードを手振れモードから三脚使用モードに変更する。続いて、ＣＰＵは、Ｓ８において、可動液晶モニタ６の表示面６ａがデジタルカメラ１の前方に向けられているか否かを、判定する。可動液晶モニタ６の表示面６ａがデジタルカメラ１の前方に向けられていて、Ｓ８の判定が“Ｙｅｓ”であった場合、ＣＰＵは、Ｓ９において、設定されているレリーズモードをセルフタイマーモードに変更し、Ｓ１０において、レリーズ動作を待機する。一方、可動液晶モニタ６の表示面６ａがデジタルカメラ１の前方に向けられておらず、Ｓ８の判定が“Ｎｏ”であった場合、ＣＰＵは、Ｓ９の処理を行わずに、Ｓ１０のレリーズ動作を待機する処理に移行する。Ｓ１０では、撮影者のレリーズ動作に応じてＣＰＵによって撮影処理が行われる。
【００１８】
次に、ＣＰＵは、Ｓ１１において、電源スイッチが操作されてデジタルカメラ１の電源がＯＦＦにされたか否かを、判定する。電源スイッチがＯＮの状態で、Ｓ１１の判定結果が“Ｎｏ”であった場合、ＣＰＵは、Ｓ２の処理に戻る。一方、電源スイッチがＯＦＦで、Ｓ１１の判定結果が“Ｙｅｓ”であった場合、ＣＰＵは、所定の終了処理をして、各回路への電源供給を停止する。
【００１９】
このような本実施形態のデジタルカメラ１によれば、カメラ本体１ａは、図１（ｂ）等に示すように、可動液晶モニタ６と、可動液晶モニタ６と所定角度を成す脚部９とによって支えられる。このため、カメラ本体１ａは、所定角度を成す可動液晶モニタ６と脚部９とによって安定して支持されると共に、可動液晶モニタ６と脚部９とが成す角度を調節することで、カメラ本体１ａの支持高さを調節することができる。
【００２０】
また、本実施形態のデジタルカメラ１によれば、重心位置算出手段で算出された重心位置でカメラ本体１ａを支持すると、カメラ本体１ａが倒れると図３，Ｓ４において判定された場合に、Ｓ５において、警告報知手段によってその旨の警告が可動液晶モニタ６に表示され、使用者に報知される。このため、デジタルカメラ１の使用者は、可動液晶モニタ６を用いてカメラ本体１ａが支持できないことを予め知ることができ、カメラ本体１ａが倒れて、デジタルカメラ１が破損したり、デジタルカメラ１の周囲の物に悪影響を与えたりするのを防止することができる。
【００２１】
また、本実施形態では、装置がデジタルカメラ１で、被写体像を撮像する撮像部が備えられているため、可動液晶モニタ６と脚部９とによってデジタルカメラ１を支持した状態で撮影が行える。従って、デジタルカメラ１と共に三脚を持ち歩くことなく、自己撮影などが行えるようになる。
【００２２】
また、本実施形態のデジタルカメラ１によれば、図３，Ｓ３において、脚部使用検出手段によって脚部９の使用が検出されると、Ｓ７において、撮像条件切換手段によって、撮像条件が脚部９の使用に適した撮影条件、すなわち、手振れ防止機構の制御が三脚使用モードに切り換えられる。このため、撮影条件を手動で切り換える手間を省くことができると共に、撮影の失敗を防ぐことができる。
【００２３】
また、本実施形態のデジタルカメラ１によれば、可動液晶モニタ６が一側面と他側面との間で反転自在に構成されているため、可動液晶モニタ６の他側面側に備えられている可動液晶モニタ６の表示面６ａを、被写体側や被写体側と反対側に向けることができる。このため、可動液晶モニタ６の表示面６ａを被写体側に向けた状態でカメラ本体１ａを可動液晶モニタ６によって支持することにより、可動液晶モニタ６の表示面６ａを見ながら自己撮影を行うことができ、また、可動液晶モニタ６の表示面６ａを被写体側と反対側に向けた状態でカメラ本体１ａを可動液晶モニタ６によって支持することにより、可動液晶モニタ６の表示面６ａを見ながら他人等の撮影を行うことができる。
【００２４】
また、上記実施形態の説明では、カメラ本体１ａを可動液晶モニタ６と脚部９とで支持する態様について説明したが、図４に示すような態様でカメラ本体１ａを支持してもよい。図４は、可動液晶モニタ６のみでカメラ本体１ａを支持させた際のデジタルカメラ１の正面斜視図である。なお、同図において図１と同一の部分には同一の符号を付してその説明は省略する。
【００２５】
この態様では、カメラ本体１ａと可動自在に連結された可動液晶モニタ６の表示面６ａが設けられていない一側面が机上に載置されることで、カメラ本体１ａが宙に支持される。このため、可動液晶モニタ６によってカメラ本体１ａを支持した状態で撮影が行え、カメラ本体１ａは、三脚などの備品を用いなくても自立させることができ、デジタルカメラ１の使用者は、従来のように、デジタルカメラ１の自立使用に備えてデジタルカメラ１と共に備品を持ち歩く煩わしさから解放される。
【００２６】
なお、図４に示した上記態様でカメラ本体１ａを支持する場合には、可動液晶モニタ６は、脚部９を備えない構成であってもよい。脚部９を備えないこの構成では、デジタルカメラ１を構成する部品点数を削減することができるため、デジタルカメラ１の製造コストの低減が図れる。
【００２７】
また、上記実施形態では、図３，Ｓ７において、脚部９の使用が検出されると、振れ補正モードの撮影条件を切り換える構成について説明したが、本発明はこれに限られることはなく、他の撮影条件を切り換える構成にしてもよい。例えば、レリーズボタン４が押下操作されてから１秒後にレリーズが切られるように、レリーズモードをリレーモードに切り換えるようにしてもよい。リレーモードでは、予めミラーをアップさせ、ミラーアップの衝撃が無くなってからシャッターが切られるので、ミラーアップの衝撃により生じる振れの影響を受けずに撮影ができる。また、予め設定されているシーンモードを風景や夜景などのシーンに切り換えたり、夜景や周囲が薄暗いことが検出された際にはスローシンクロ撮影を行う設定に切り換えたりする構成にしてもよい。
【００２８】
また、上記実施形態では、算出したカメラ本体１ａの重心位置で、可動液晶モニタ６と脚部９とによりカメラ本体１ａが支えられない場合、その旨を可動液晶モニタ６に表示する構成としたが、本発明はこれに限られることはない。例えば、可動液晶モニタ６と脚部９とによりカメラ本体１ａが支えられない場合、その旨をブザーなどの音によって警告を報知する構成にしてもよい。この構成においても、上記実施形態と同様の作用・効果が奏される。
【００２９】
また、上記実施形態において、脚部９が取り出されて、図３，Ｓ３の判定結果が“Ｙｅｓ”であった場合、可動液晶モニタ６と脚部９とによりカメラ本体１ａを支持するカメラスタンドとしての機能が損なわれる動作を禁止する処理を加える構成にしてもよい。この構成によれば、例えば、レンズの重心が変わるズーム動作や、カメラ本体１ａに内蔵されているフラッシュ装置の自動ポップアップ動作などの、カメラ本体１ａの重心位置を変える動作が禁止され、可動液晶モニタ６と脚部９とによるカメラスタンドとしての機能が担保される。
【００３０】
また、上記実施形態では、図１（ｂ）に示したように、脚部９を可動液晶モニタ６の一側面に回動自在に設けた構成について説明したが、本発明はこれに限られることはない。例えば、脚部９を可動液晶モニタ６の一側面ではなく、ヒンジ機構７のヒンジ軸に回動自在に設けて構成してもよい。この構成においても、上記実施形態と同様の作用・効果が奏される。
【００３１】
また、上記実施形態において、図５に示すように、可動液晶モニタ６が左右の端部に伸縮自在な足６ｂ，６ｃを備え、脚部９が伸縮自在な伸縮部９ａ，９ｂを備える構成にしてもよい。図５は、この構成を示したデジタルカメラ１の脚部９および可動液晶モニタ６から伸縮部９ａ，９ｂおよび足６ｂ，６ｃを伸長させた際の背面斜視図である。なお、同図において図１（ｂ）と同一の部分には同一の符号を付してその説明は省略する。この構成によれば、可動液晶モニタ６に備えられた足６ｂ，６ｃおよび脚部９に備えられた伸縮部９ａ，９ｂの伸縮量を調節することにより、カメラ本体１ａの支持高さをより広い範囲で調節することができる。また、足６ｂ，６ｃおよび伸縮部９ａ，９ｂの伸縮量を異ならせることで、カメラ本体１ａを所望の角度に傾けて支持することができる。
【００３２】
また、図５に示した上記の変形例では、可動液晶モニタ６および脚部９から足６ｂ，６ｃおよび伸縮部９ａ，９ｂを伸長させた場合について説明したが、例えば、回動機構８を伸縮自在な機構にし、回動機構８の伸縮量を調節することにより、カメラ本体１ａの支持高さを調節するようにしてもよい。この構成においても、上記変形例と同様の作用・効果が奏される。
【００３３】
また、上記実施形態および各変形例におけるデジタルカメラ１に、投影光を投じる投影部を備える構成としてもよい。この構成によれば、デジタルカメラ１に投影光を投じる投影部が備えられるため、可動液晶モニタ６を用いてカメラ本体１ａを支持した状態で投影が行える。従って、投影部を用いた投影に際して、使用者がデジタルカメラ１を支える手間を省くことができると共に、投影光が振れることのない好適な投影を行うことができる。
【００３４】
また、上記実施形態および各変形例では、ヒンジ機構７をカメラ本体１ａの背面の下辺に固定して設けた場合について説明したが、本発明はこれに限られることはない。例えば、ヒンジ機構７をカメラ本体１ａの底面に沿ってカメラ前方にスライド可能に構成すると共に、スライドさせたヒンジ機構７を任意の位置で保持させる構成にしてもよい。この構成によれば、カメラ本体１ａに装着されたレンズユニット２の長さや重さに応じてデジタルカメラ１の重心位置が変化しても、デジタルカメラ１の重量配分を考慮しながらヒンジ機構７をスライドさせることにより、カメラ本体１ａを可動液晶モニタ６と脚部９とで支持することができる。
【００３５】
また、上記実施形態および各変形例では、ヒンジ機構７をカメラ本体１ａの背面の下辺に設けた場合について説明したが、本発明はこれに限られることはない。例えば、ヒンジ機構７をカメラ本体１ａの背面の左辺または右辺に設けて構成してもよい。この構成によれば、カメラ本体１ａを可動液晶モニタ６によって縦向きに支持することが可能となり、デジタルカメラ１の縦位置撮影時にカメラ本体１ａを自立させることができる。
【００３６】
また、上記実施形態および各変形例では、交換可能なレンズユニット２を備えたデジタルカメラ１について説明したが、本発明はこれに限られることはない。例えば、可動液晶表示部を備え、カメラ本体と光学レンズユニットとが一体に形成されたレンズ一体型カメラや、可動液晶表示部を備えたカメラ付き携帯電話などに本発明を適用することができる。なお、レンズ繰り出し型のカメラに適用した場合、可動液晶表示部と脚部とによりカメラ本体を支持するカメラスタンドとしての機能が損なわれないように、脚部の使用が検出された場合、レンズの重心を変えるレンズ繰り出し動作を禁止するように構成してもよい。これら機器に本発明を適用した場合においても、上記実施形態および各変形例と同様の作用・効果が奏される。
【００３７】
また、上記実施形態では、本発明による装置をデジタルカメラ１に適用した場合について説明したが、本発明はこれに限られることはない。カメラ以外の装置、例えばフォトフレームのような、装置本体と可動自在に連結された可動部とを備えて構成される装置に本発明を適用してもよい。このような装置に本発明を適用しても、上記実施形態と同様な作用・効果が奏される。
【符号の説明】
【００３８】
１…デジタルカメラ
１ａ…カメラ本体
２…レンズユニット
６…可動液晶モニタ
６ａ…表示面
６ｂ，６ｃ…足
７…ヒンジ機構
８…回動機構
９…脚部
９ａ，９ｂ…伸縮部
【図１】
2011107568.tif 000003
【図２】
2011107568.tif 000004
【図３】
2011107568.tif 000005
【図４】
2011107568.tif 000006
【図５】
2011107568.tif 000007